(57)【特許請求の範囲】
【請求項１】
所定幅を有する枠部材を平面的に組み合わせて矩形状もしくは正方形状に配置し、該枠部材の内側に縦横に支持部材を固着して交差部を溶着することにより鋼製フレームを形成し、該鋼製フレーム上に断面略三角形の三角柱状体に加工した多数個の自然石を階段状に支持固定して自然石固着階段ユニットを作製し、この自然石固着階段ユニットを護岸用法面上に設置するマットとして使用したことを特徴とする自然石固着階段ユニット。
【請求項２】
所定幅を有する枠部材を平面的に組み合わせて平面視が部分的に曲面状となるように配置し、該枠部材の内側に縦横に支持部材を固着して交差部を溶着することにより鋼製フレームを形成し、該鋼製フレーム上に直線と曲線を組み合わせて断面略三角形の曲柱状体に加工した多数個の自然石を階段状に支持固定して自然石固着階段ユニットを作製し、この自然石固着階段ユニットを護岸用法面上に設置するマットとして使用したことを特徴とする自然石固着階段ユニット。
【請求項３】
前記支持部材の交差部にボルト挿通用の孔を穿設した請求項１又は２に記載の自然石固着階段ユニット。
【請求項４】
前記枠部材と支持部材に適度の可撓性を持たせて地盤の起伏に追随させた請求項１，２又は３に記載の自然石固着階段ユニット。
【請求項５】
所定幅を有する枠部材を平面的に組み合わせて矩形状もしくは正方形状に配置し、該枠部材の内側に縦横に支持部材を固着して交差部を溶着することにより鋼製フレームを形成し、該鋼製フレーム上に断面略三角形の三角柱状体に加工した多数個の自然石を階段状に支持固定して自然石固着階段ユニットを作製し、自然石の切欠部内に固定された吊り環を利用してブーム先端から垂下したワイヤにより自然石固着階段ユニットを吊り下げて施工すべき護岸用法面上に相互に密着させて据え付け、隣接する吊り環を連結金具を用いて連結固定したことを特徴とする自然石固着階段ユニットを使用した階段工法。
【請求項６】
前記鋼製フレームに可撓性を保持させて自然石固着階段ユニットを構成し、自然石の重量によって鋼製フレームを地盤の起伏に追随させた請求項５に記載の自然石固着階段ユニットを使用した階段工法。
【発明の詳細な説明】
【０００１】
【発明の属する技術分野】
本発明は自然石を固着した階段ユニットを用いて護岸用法面等の階段工事を多自然に行うようにした自然石固着階段ユニット及び該ユニットを使用した階段工法に関するものである。
【０００２】
【従来の技術】
従来の護岸・護床・根固工事を行う代表的な方法は、石工の手作業により自然石を１個ずつ積み上げて、各石と石との間に詰め石を行う空石積工法が知られている。しかしこの方法では施工時間が長くかかる外、護岸が２メートルを越える高さであるケースでは自然石が不安定になるという問題がある。
【０００３】
上記に対処して、護岸・護床・根固工事を行う際に、コンクリート製の堤防で両岸を囲ったり、河川敷までコンクリートで固める工法も行われている。また、自然の景観機能を生かすため、前記空石積工法に代えて地盤上に捨てコンクリートを行って自然石を固定敷設するねり石積工法も行われている。
【０００４】
更に護岸用の階段工事を行う工法として、階段形状に加工した御影石等の自然石を穿孔し、金網の所定の位置に装着した特殊形状の突起アンカー金具を該自然石の穿孔部に挿入して特殊凝固剤で結合した階段ユニットを予め工場で作製し、この階段ユニットを護岸用法面上に隣接して敷設する工法も行われている。
【０００５】
また、従来は複数の自然石保持ユニットが断面略Ｌ字状のアングル材を用いた枠体を介して隣接状態をもって複数敷設され、アングル材の一方側折曲部上に板状の保持体の周縁部が支持されている一方、該アングル材の他方側折曲部が保持体の周縁部から自然石側に起立され、隣り合う自然石保持ユニット同士の対向する枠体の他方側折曲部を介して護岸法面上で連結された自然石保持ユニット組立体と自然石保持ユニットが提供されている（特許文献１参照）。
【０００６】
【特許文献１】
特許第３０４８５１８号公報
【０００７】
【発明が解決しようとする課題】
前記したように、コンクリート製の堤防で両岸を囲って河川敷までコンクリートで固める工法とか、地盤上に捨てコンクリートを行って自然石を固定敷設するねり石積工法による護岸・護床・根固工事は、何れも施工が特殊で職人が時間をかけて敷設しており、作業能率及びコスト面での問題がある。また、上記工法は河川の自然生態系を破壊して自己浄化作用を乏しくする難点があり、環境保全の面からも好ましくないという問題がある。
【０００８】
更に金網の所定の位置に装着した特殊形状の突起アンカー金具を階段形状に加工した自然石の穿孔部に挿入結合した階段ユニットを護岸法面上に隣接して敷設する工法は、吊り下げ施工時に金網が捻れたりゆがみが発生するため、階段ユニット自体の安定性が悪く、施工後に修復する工事が必要になるため施工に要する期間が長くかかるとともに金網などの耐久性が短いという難点がある。
【０００９】
また、断面略Ｌ字状のアングル材を用いた特許文献１によれば、アングル材の存在によって地盤への追随性に限界があり、フレキシビリティに欠けている。更に自然石を該アングル材を介して相互に連結するため、隣接する階段ユニット同士が密着している必要があり、そのための施工、連結作業が煩瑣となる欠点がある。更に、自然石は複数の目を形成する網目又はメッシュの上に配置されるものであるため、自然石を接着する位置が特定されておらず、全体としてのまとまりと美観に欠けるという問題がある。
【００１０】
そこで本発明は上記の問題点を解決して、護岸用法面における階段工事の施工性を向上させるとともに施工後の耐久性が高く、工事を多自然型に行うことによって環境保全及び景観面からも好ましい自然石固着階段ユニット及び該ユニットを使用した階段工法を提供することを目的とするものである。
【００１１】
【課題を解決するための手段】
本発明は上記目的を達成するために、所定幅を有する枠部材を平面的に組み合わせて矩形状もしくは正方形状に配置し、該枠部材の内側に縦横に支持部材を固着して交差部を溶着することにより鋼製フレームを形成し、該鋼製フレーム上に断面略三角形の三角柱状体に加工した多数個の自然石を階段状に支持固定して自然石固着階段ユニットを作製し、この自然石固着階段ユニットを護岸用法面上に設置するマットとして使用したことを特徴とする自然石固着階段ユニット及び該ユニットを使用した階段工法を基本手段として提供する。
【００１２】
更に所定幅を有する枠部材を平面的に組み合わせて平面視が部分的に曲面状となるように配置し、該枠部材の内側に縦横に支持部材を固着して交差部を溶着することにより鋼製フレームを形成し、該鋼製フレーム上に直線と曲線を組み合わせて断面略三角形の曲柱状体に加工した多数個の自然石を階段状に支持固定して自然石固着階段ユニットを作製し、この自然石固着階段ユニットを護岸用法面上に設置するマットとして使用する。
【００１３】
前記支持部材の交差部にはボルト挿通用の孔を穿設してあり、枠部材と支持部材に適度の可撓性を持たせて地盤の起伏に追随させてある。
【００１４】
上記自然石固着階段ユニットの据え付け時には、自然石の切欠部内に固定された吊り環を利用してブーム先端から垂下したワイヤにより階段ユニットを吊り下げて施工すべき護岸用法面上に相互に密着させて据え付け、隣接する吊り環を連結金具を用いて固定する。また、前記鋼製フレームに可撓性を保持させて自然石固着階段ユニットを構成し、自然石の重量によって鋼製フレームを地盤の起伏に追随させた階段工法を提供する。
【００１５】
かかる自然石固着階段ユニット及び該ユニットを使用した階段工法によれば、使用に際して護岸用としての設計勾配に応じて法面を整形してから吸出し防止剤を塗着した後に割り付けマーキングを施し、トラッククレーン等の各種クレーンのブーム先端から垂下したワイヤにより階段ユニットを吊り下げて法面上に相互に密着させて据え付け、隣接する吊り環を金具を用いて連結固定して階段ユニットを使用した護岸工事が完了する。自然石は支持部材の交差部に面として支持固定されているため、施工後のまとまりと美観に優れて、景観を向上させるという作用が得られる。
【００１６】
凹凸の多い法面に対応するため、鋼製フレームに可撓性を保持させた自然石固着階段ユニットを構成し、この自然石固着階段ユニットを護岸用法面上に密接して敷設することにより、自然石の重量によって起伏に追随した護岸工事が完了する。
【００１７】
【発明の実施の形態】
以下図面に基づいて本発明にかかる自然石固着階段ユニット及び該ユニットを使用した階段工法の具体的な実施形態を説明する。本発明は所定幅を有する枠部材を平面的に組み合わせて矩形状もしくは正方形状に配置し、該枠部材の内側に縦横に支持部材を固着して交差部を溶着することにより鋼製フレームを形成し、該鋼製フレーム上に断面略三角形の三角柱状体に加工した多数個の自然石を階段状に支持固定して自然石固着階段ユニットを作製し、この自然石固着階段ユニットを護岸用法面上に設置するマットとして使用した自然石固着階段ユニット及び該ユニットを使用した階段工法を基本手段としている。
【００１８】
図１は本発明の第１実施例で用いたフレーム１の形状例を示す平面図であり、このフレーム１は外周部に配置した４本の枠部材２，２と、該枠部材２，２の内側に縦横に配置されて交差部が溶着された支持部材３，３から構成されている。枠部材２，２と支持部材３，３には所定幅の板状の鋼材が用いられ、この枠部材２，２と支持部材３，３を平面的に組み合わせて相互に固着することによりフレーム１が構成されている。各支持部材３，３の交差部にはボルト挿通用の孔１０が開口されている。
【００１９】
図２はフレーム１の上面に加工した御影石等の自然石４，４を階段状に並置してからフレーム１の前記孔１０を利用してボルト止め８により自然石４，４をフレーム１に固定して階段ユニット９を形成し、この階段ユニット９を護岸法面上に設置した状態を示す側面図、図３は同平面図である。自然石４，４は断面略三角形の三角柱状体に加工されており、図３に示すように特定の自然石４，４の端部に切欠部４ａ，４ａが形成されて該切欠部４ａ，４ａ内には図２に示す吊り環５，５が固定されている。尚、自然石４，４の固定は前記ボルトに代えて樹脂モルタルボンドを利用してもよい。
【００２０】
上記したように各支持部材３，３の交差部に自然石４，４を固着する場所が特定されており、各自然石４，４が各支持部材３，３上に面として支持固定されていることが本発明の特徴の一つである。
【００２１】
図４はフレーム１上での自然石４，４の固定方法を示しており、各自然石４，４が移動しないようにするため、隣接する吊り環５，５がシャックル６により連結されている。図５は自然石４，４を多数設置した場合のシャックル６による連結個所を示している。
【００２２】
各支持部材３，３を可撓性を有する板状に形成したことによりフレキシビリティーが向上し、設置する護岸用法面地盤との追随性を良くしている。特に各支持部材３，３は適度の可撓性を持つ厚さに形成されていて、設置した地盤の起伏に応じて自然石４，４の重量に伴って形状が追随可能である。更に各自然石４，４の中間には適宜の空隙部が形成されたことにより透水性が保持されている。尚、第１実施例では枠部材２，２及び自然石４，４の平面視が矩形状となっているが、それぞれ平面視が正方形のものであってもよい。
【００２３】
枠部材２，２と支持部材３，３による鋼製フレームの表面には亜鉛メッキが施されており、該亜鉛メッキの皮膜が完全に消耗する期間は５０〜６０年であって耐用年数が長いという特徴がある。更に鋼製フレームに代えて木材を用いることもできる。フレーム１には亜鉛メッキを施さなくてもそのまま使用することができ、或いはさび止めを施したものだけでも施工ができる。更に素材としては鉄に限ることなく、その他の各種金属或いは木質系素材，化学素材等を使用することができる。
【００２４】
以下に第１実施例にかかる自然石固着階段ユニットを使用した階段工法の具体的な施工手順を説明する。先ず図６に示したように護岸用としての設計勾配に応じて法面１１を整形し、この法面１１上に吸出し防止剤を塗着する。この吸出し防止剤のラップ代は１０ｃｍ以上とする。次に図７に示すように法面１１上にスプレー等によって割り付けマーキング１２を施す。
【００２５】
次に図８に示したようにトラッククレーン１３のブーム１４先端から垂下したワイヤ１５により前記吊り環５を利用して階段ユニット９を吊り下げて、法面１１の割り付けマーキング１２上に相互に密着させて据え付ける。次に割り付けマーキング１２上に据え付けた階段ユニット９の隣接する吊り環５を、図４に示した連結金具であるシャックル６を用いて連結固定することにより階段工法による護岸工事が完了する。
【００２６】
次に本発明の第２実施例を説明する。図９に示したように本発明を適用した階段工法は、第１実施例で説明した自然石４，４の平面視が矩形状もしくは正方形の階段ユニット９を用いた階段構造１６以外にも自然石４，４の平面視が部分的に曲面状の階段ユニットを用いた階段構造１７もある。そこで第２実施例では平面視が部分的に曲面状の階段ユニットを用いた構造例を提供するものであり、図１０〜図１４の各平面図に示したように直線と曲線を組み合わせて加工した複数種の自然石１８，１９，２０，２１，２２を別途に用意したフレームの上面に階段状に並置してから（図２参照）第１実施例と同様にフレームの孔を利用してボルト止め８により各自然石１８，１９，２０，２１，２２をフレーム上に固定して図１５の平面図に示す階段ユニット２３を作製し、この階段ユニット２３を曲線部を有する護岸用法面上に配置してから特定の自然石、図示例では自然石１９，２２の端部に形成された切欠部１９ａ，２２ａ内に固定された吊り環（図１５では図示省略）をシャックルにより連結して階段工法による平面視が曲線状の護岸工事が完了する。
【００２７】
【発明の効果】
以上詳細に説明したように、本発明によればワイヤにより自然石固着階段ユニットを吊り下げて護岸用法面上に据え付け、隣接する吊り環を金具を用いて連結固定することによって階段工法による護岸階段工事を完了することができるので、従来のコンクリートにより堤防を固める工法とかねり石積工法に較べて施工時間が短縮され、コストも節減することができる。また、得られた護岸用の階段間には水分の補給に伴って植物が繁茂し、この植物が鋼製フレームを覆い隠すので、自然の景観を創出するとともに河川の自然生態系を破壊する惧れがなく、自己浄化作用も得られて環境保全の面からも好ましい自然石固着階段ユニットと階段工法が実現する。
【００２８】
特に所定幅を有する枠部材を平面的に組み合わせて矩形状もしくは正方形状に配置し、該枠部材の内側に縦横に支持部材を固着して交差部を溶着して鋼製フレームを形成したことにより、全体としてフラットな一体性のある自然石固着階段ユニットが得られるとともにフレキシビリティーを大きく向上させ、大荷重に耐える強度と安定性を実現することができる。また、従来の金網もしくは敷設ブロックを用いた工法のように、吊り下げ施工時に石張りマットが捻れたりゆがみが発生することがなくなるので、階段ユニット自体の保形性は良好であって施工後に修復する等の工事は不要であり、しかも金網などに比較して耐久性が長いという特長がある。
【００２９】
凹凸の多い護岸用法面では、支持部材に可撓性を付与して構成した自然石固着階段ユニットを法面上に密接して敷設することにより、自然石の重量によって起伏に追随させることができる。更に自然石は支持部材の交差部に面として支持固定されるものであり、自然石の配置と施工後の美観に優れて、景観を向上させることができる。
【００３０】
従って本発明によれば、護岸用法面における階段工事の施工性を向上させるとともに施工コストの低廉化をはかり、かつ、施工後の耐久性を高めるとともに工事を多自然に行うことによって環境保全及び景観面からも好ましい自然石固着階段ユニット及び該ユニットを使用した階段工法を提供することができる。
【図面の簡単な説明】
【図１】本発明の第１実施例で用いたフレームの平面図。
【図２】第１実施例の階段ユニットの構成を示す側面図。
【図３】図２の平面図。
【図４】自然石をフレームに固定した状態を示す要部斜視図。
【図５】自然石の連結個所を示す概要図。
【図６】自然石固着階段ユニットを使用した階段工法の初期状態を示す概要図。
【図７】法面上に割り付けマーキングを施した状態を示す概要図。
【図８】護岸用法面上に階段ユニットを据え付ける実際例を示す概要図。
【図９】本発明の第２実施例の護岸用法面における階段工法例を示す斜視図。
【図１０】本発明の第２実施例で用いた自然石の形状例を示す平面図。
【図１１】本発明の第２実施例で用いた他の自然石の形状例を示す平面図。
【図１２】本発明の第２実施例で用いた他の自然石の形状例を示す平面図。
【図１３】本発明の第２実施例で用いた他の自然石の形状例を示す平面図。
【図１４】本発明の第２実施例で用いた他の自然石の形状例を示す平面図。
【図１５】本発明の第２実施例の階段ユニットを示す平面図。
【符号の説明】
１…フレーム
２…枠部材
３…支持部材
４，１８，１９，２０，２１，２２…自然石
４ａ…切欠部
５…吊り環
６…シャックル
８…ボルト止め
９，２３…階段ユニット
１０…孔
１１…法面
１２…割り付けマーキング
１３…トラッククレーン
１４…ブーム
１５…ワイヤ
整理番号  Ｐ３５１８
【図１】
0003652345.tif 000002
【図２】
0003652345.tif 000003
【図３】
0003652345.tif 000004
【図４】
0003652345.tif 000005
【図５】
0003652345.tif 000006
【図６】
0003652345.tif 000007
【図７】
0003652345.tif 000008
【図８】
0003652345.tif 000009
【図９】
0003652345.tif 000010
【図１０】
0003652345.tif 000011
【図１１】
0003652345.tif 000012
【図１２】
0003652345.tif 000013
【図１３】
0003652345.tif 000014
【図１４】
0003652345.tif 000015
【図１５】
0003652345.tif 000016